(57)【要約】【課題】石碑等に凹状に刻まれた文字等の読み取り（判読）は、その歴史資料の解明、研究等に欠かせないことであり、簡易にして、確実な読み取り方法の出現が要請されていた。本発明はかかる要請に鑑み、シンプルでかつ確実、正しく読み取りすることができ、しかも、文化財としての石碑等を全く痛めないで、読み取る方法を見出した。【解決手段】石碑等に刻まれた文字等の凹部に、真白の若しくは着色された粉状物を一様に詰め、表面をヘラ等で平滑に拭き取り、読み取ることを特徴とする石碑等に刻まれた文字等を読み取る方法。【選択図】なし【特許請求の範囲】
【請求項１】
石碑等に刻まれた文字等の凹部に、真白の若しくは着色された粉状物を一様に詰め、表面をヘラ等で平滑に拭き取り、読み取ることを特徴とする石碑等に刻まれた文字等を読み取る方法。
【請求項２】
石碑等に刻まれた文字等の凹部に、真白の若しくは着色された粉状物を一様に詰め、表面をヘラ等で平滑に拭き取り、これを写真等に撮って読み取ることを特徴とする石碑等に刻まれた文字等を読み取る方法。
【請求項３】
真白の若しくは着色された粉状物が、石碑等に刻まれた文字等の凹部に詰められるが、空気等の気体又は水などにより容易に除去されるものであることを特徴とする請求項１乃至請求項２の何れかに記載の石碑等に刻まれた文字等を読み取る方法。
【請求項４】
真白の若しくは着色された粉状物が、雪、氷、炭酸カルシウム、水酸化カルシウム、焼石膏、白亜、白粉若しくは白墨（チョーク）又はそれらの着色物から選ばれることを特徴とする請求項１乃至請求項３の何れかに記載の石碑等に刻まれた文字等を読み取る方法。
【請求項５】
真白の若しくは着色された粉状物が、真白の雪、人工雪若しくは微細氷又はそれらの着色物から選ばれることを特徴とする請求項４に記載の石碑等に刻まれた文字等を読み取る方法。
【請求項６】
真白の若しくは着色された粉状物が、真白の雪であることを特徴とする請求項５に記載の石碑等に刻まれた文字等を読み取る方法。
【発明の詳細な説明】
【０００１】
【産業上の利用分野】
本発明は、石碑、墓碑、石塔、町石、町石卒塔婆、五輪塔など（以下、「石碑等」と言うこともある）に刻み込まれた文字、紋章、模様など（以下、「文字等」と言うこともある）を正しく読み取る方法、つまり、拓本を採る方法に関する。
【０００２】
【従来の技術】
従来から、拓本取りは一般に手作業でなされており、その手順は例えば石碑等に刻み込まれた文字等の打刻部に紙を置き、綿を布で包んだボンボリなどに墨を含ませ、前記紙の上から軽く叩き凸版印刷状に転写する方法（間接法）、或いは文字等の打刻部に墨をスポンジ等で軽く叩くようにして塗布し、この上に拓本用紙を当てがってヘラ等で押し付けながら紙の上を満遍なく擦り、文字等白抜き状態で凹版印刷状に転写し剥がす方法（直接法）がある。
【０００３】
しかしながら、前者（間接法）では手間がかかり、特に大きいものや、文字等の打刻部の輪郭が不鮮明のとき、天候が悪く，強風の時等には作業が困難であったり、熟練を要するという問題があり、また後者（直接法）においても上記の問題の他に、石碑等を汚染することから、その清掃・復元作業が必要であり、石碑等の欠損、破損を伴う恐れがあって、実際には作業することができないという問題がある。
【０００４】
【発明が解決しようとする課題】
一方、石碑等に凹状に刻まれた文字等の読み取り（判読）は、その歴史資料の解明、研究等に欠かせないことであり、簡易にして、確実な読み取り方法の出現が要請されていた。本発明はかかる要請に鑑みて鋭意研究・検討の結果、従来の問題点を一挙に解決する極めてシンプルで、確実にかつ正しく読み取りでき、しかも、文化財としての石碑等を痛めないで、石碑等に刻まれた文字等を読み取る方法を見出し、本発明を完成するに至った．
【０００５】
【課題を解決するための手段】
本発明は、石碑等に刻まれた文字等の凹部に、真白の若しくは着色された粉状物を一様に詰め、表面をヘラ等で平滑に拭き取り、読み取ることを特徴とする石碑等に刻まれた文字等を読み取る方法（請求項１）である。
【０００６】
また、本発明は、石碑等に刻まれた文字等の凹部に、真白の若しくは着色された粉状物を一様に詰め、表面をヘラ等で平滑に拭き取り、これを写真等に撮って読み取ることを特徴とする石碑等に刻まれた文字等を読み取る方法（請求項２）である。
【０００７】
更に、本発明は、真白の若しくは着色された粉状物が、石碑等に刻まれた文字等の凹部に詰められるが、空気等の気体又は水などにより容易に除去されるものであることを特徴とする請求項１乃至請求項２の何れかに記載の石碑等に刻まれた文字等を読み取る方法（請求項３）である。
【０００８】
更にまた、本発明は、真白の若しくは着色された粉状物が雪、氷、炭酸カルシウム、水酸化カルシウム、焼石膏、白亜、白粉若しくは白墨（チョーク）又はそれらの着色物から選ばれることを特徴とする請求項１乃至請求項３の何れかに記載の石碑等に刻まれた文字等を読み取る方法（請求項４）である。
【０００９】
そして、本発明は、真白の若しくは着色された粉状物が、真白の雪、人工雪若しくは微細氷又はそれらの着色物であることを特徴とする請求項４に記載の石碑等に刻まれた文字等を読み取る方法（請求項５）である。
【００１０】
そしてまた、本発明は、真白の若しくは着色された粉状物が、真白の雪であることを特徴とする請求項５に記載の石碑等に刻まれた文字等を読み取る方法（請求項６）である。
【００１１】
以下、本発明の実際の態様について、更に詳しく説明する。
本発明にいう真白の若しくは着色された粉状物とは、石碑等に刻まれた文字等の凹部に容易に埋められものであれば、特に制限はなく、好ましくは、事後、空気等の気体又は水などにより容易に除去されるものであることが好ましい。具体的には、雪、氷、炭酸カルシウム、水酸化カルシウム、焼石膏、白亜、白粉若しくは白墨（チョーク）又はそれらの着色物から選ばれる。
【００１２】
本発明の実施に際して、拓本取りに伴う清掃、復元作業及び石碑等の欠損、破損を極力避けるためには、真白の若しくは着色された粉状物が、石碑等に刻まれた文字等の凹部に手作業、スプレイなどの吹き付けなどにより容易に詰められるが、空気等の気体又は水などのスプレイ若しくは噴射などにより容易に除去されるものであることが好ましい。
【００１３】
このような観点から、本発明にいう真白の若しくは着色された粉状物としては、真白の雪、人工雪若しくは微細氷から選ばれることが好ましい。特に雪等は、事後の処理が容易であり（放置による融雪により元の状態に復元する）、本発明の最も好ましい一態様である。
【００１４】
次に、本発明においては、石碑等に刻まれた文字等の凹部に、真白の若しくは着色された粉状物を一様に詰め、表面をヘラ等で平滑に拭き取ることが必要である。これにより、輪郭が明確となり、確実にかつ正しく読み取ることが容易となる。ここで、表面をヘラ等で平滑に拭き取るとは、例えば、図１（図面代用写真）において、図１−ａに示した様に、真白の雪は凹状に刻まれた文字等にのみ埋め込まれ、平らな表面には全く付着していない事が最も好ましい。このために、ヘラで平滑に拭き取ることが必要であるが、このヘラ等としては平らな板状物、ゴム板、樹脂板などが用いられるが、例えば、自動車のワイパーなど比較的軟らかさがあるものがより好ましい。
【００１５】
更に、本発明においては、石碑等に刻まれた文字等の凹部に、真白の若しくは着色された粉状物を一様に詰め、表面をヘラ等で平滑に拭き取り、これを写真等に撮って読み取る（判読する）ことを特徴とする。ここで、写真等に撮って読み取るとは、例えば図１（図面代用写真）において、図１−ａに示すように写真に撮り、これを見て判読することであり、写真は、通常のネガフィルムから印画紙にプリントして見る場合、あるいはデジカメに納め、パソコンで、又は印刷して観る場合、どちらでも構わない。
【００１６】
【発明の効果】
本発明は、環境に優しい拓本取りの方法を提供する。
本発明によれば、極めてシンプルな方法で、作業が簡単であり、誰でも容易に確実かつ正確にでき、熟練等の問題も全くない。
本発明によれば、墨などを一切使用しないので、清掃の問題、石碑等に対する欠損、破損の問題が全く解消される。
本発明によれば、文字等の輪郭が明確となり、微細なところまで見分ける事が可能となり、今まで判読できなかった石碑等において、初めて判読が可能となった例が沢山ある。
【００１７】
特に、真白の雪、人工雪若しくは微細氷を用いる本発明の最も好ましい一態様によれば、雪などを詰める作業は極めて簡単であり、そして事後の処理が容易（放置、融雪により自然と元の状態に復元する）である。
【００１８】
本発明によれば、石碑等が古くなり、また塵、植物などのため黒ずんで文字等を判読し難い場合に、雪等が真白であるので、本発明によるときは、極めて効果的に判読できるという特有の効果が期待できる。
【００１９】
【実施例】
実施例１
図１において、図１−ａは、高野山の町石卒塔婆において実際に雪を埋め込み、ワイパーで平滑に削り取った後に写した図面代用写真である。対して図１−ｂは、本発明の処理を行なわない町石卒塔婆の図面代用写真である。図１−ｂに対して図１−ａは文字等の輪郭が明確であり、判読が極めて容易となる。
【００２０】
実施例２
図２において、図２−ａは、高野山の町石卒塔婆において実際に雪を埋め込み、ワイパーで平滑に削り取った後に写した図面代用写真である。対して図２−ｂは、本発明の処理を行なわない町石卒塔婆の図面代用写真である。
【００２１】
実施例３
図３において、図３−ａは、高野山の町石卒塔婆において実際に雪を埋め込み、ワイパーで平滑に削り取った後に写した図面代用写真である。対して図３−ｂは、本発明の処理を行なわない町石卒塔婆の図面代用写真である。図３は、石碑等が古くなり、また塵、植物などのため黒ずんで文字等を判読し難い場合に、本発明によって判読することができる場合を説明するものである。
【００２２】
実施例４
図４において、図４−ａは、高野山の町石卒塔婆において実際に雪を埋め込み、ワイパーで平滑に削り取った後に写した図面代用写真である。対して図４−ｂは、本発明の処理を行なわない町石卒塔婆の図面代用写真である。図４は、石碑等に刻まれた凹部が浅く読み取り難い場合に、本発明の方法によって判読することができる場合を説明するものである。
【００２３】
実施例５
図５において、図５−ａは、高野山の町石卒塔婆において実際に雪を埋め込み、ワイパーで平滑に削り取った後に写した図面代用写真である。対して図５−ｂは、本発明の処理を行なわない町石卒塔婆の図面代用写真である。
【００２４】
【図面の簡単な説明】
【図１】高野山の町石卒塔婆の図面代用写真であり、図１−ａは、本発明の処理を行った場合、図１−ｂは、本発明の処理を行なわなかった場合の図面代用写真である。
【図２】高野山の町石卒塔婆の図面代用写真であり、図２−ａは、本発明の処理を行った場合、図２−ｂは、本発明の処理を行なわなかった場合の図面代用写真である。
【図３】高野山の町石卒塔婆の図面代用写真であり、図３−ａは、本発明の処理を行った場合、図３−ｂは、本発明の処理を行なわなかった場合の図面代用写真である。
【図４】高野山の町石卒塔婆の図面代用写真であり、図４−ａは、本発明の処理を行った場合、図４−ｂは、本発明の処理を行なわなかった場合の図面代用写真である。
【図５】高野山の町石卒塔婆の図面代用写真であり、図５−ａは、本発明の処理を行った場合、図５−ｂは、本発明の処理を行なわなかった場合の図面代用写真である。
【図１】
2004074754.tif 000002
【図２】
2004074754.tif 000003
【図３】
2004074754.tif 000004
【図４】
2004074754.tif 000005
【図５】
2004074754.tif 000006